(57)【要約】【課題】  固定ナットの雌ねじ部からの漏水を防ぐことができるセパレータ用プラグ装置の提供。【解決手段】雌ねじ部を有する固定ナット１と、該固定ナット１の先端側に嵌着されてコンクリートに嵌め殺しにされる筒状のコーン２とで構成され、固定ナット１におけるセパレータ螺合用雌ねじ部１１と軸足ボルト螺合用雌ねじ部１２との間を仕切る隔壁１３を設けた。また、コーン２をセラミック製とした。【選択図】      図３
2012219433.tif 000002
【特許請求の範囲】
【請求項１】
雌ねじ部を有する固定ナットと、該固定ナットの先端側に嵌着されてコンクリートに嵌め殺しにされる筒状のコーンとで構成され、
前記固定ナットにおけるセパレータ螺合用雌ねじ部と軸足ボルト螺合用雌ねじ部との間を仕切る隔壁を設けたことを特徴とするセパレータ用プラグ装置
【請求項２】
請求項１に記載のセパレータ用プラグ装置において、
前記コーンをセラミック製としたことを特徴とする手段とした。
【発明の詳細な説明】
【技術分野】
【０００１】
本発明は、セパレータ用プラグ装置に関する。
【背景技術】
【０００２】
従来、セパレータ用プラグ装置としては、筒状の雌ねじ部分を有する金属製固定ナットと、該固定ナットの先端側に嵌着されてコンクリート又はモルタル（以後単にコンクリートと表示する）に嵌め殺しにされるモルタル製の筒状のコーンとで構成されたものが知られている。
【０００３】
ところが、コーンがモルタル製であったため、モルタル内に染みこんだ水がコンクリート外部に漏水し、確実なコンクリート施工が行えないという問題があった。
【０００４】
そこで、コーンを水が染みこまないセラミック製としたものが開発された。（例えば、特許文献１参照。）。
【先行技術文献】
【特許文献】
【０００５】
【特許文献１】特開平９−３２４５３７号公報
【発明の概要】
【発明が解決しようとする課題】
【０００６】
しかしながら、従来例のセパレータ用プラグ装置にあっては、固定ナットの軸心に形成された雌ねじ部分が固定ナットを貫通する状態であったため、この雌ねじの両端に螺合されたセパレータの雄ねじと軸足ボルトの雄ねじの外周と、固定ナットの雌ねじ部との間の螺旋状隙間を経由し、コンクリート型枠内に流し込んだコンクリートの水が外部に漏水するという問題があった。
【０００７】
本発明の解決しようとする課題は、固定ナットの雌ねじ部からの漏水を防ぐことができるセパレータ用プラグ装置を提供することにある。
【課題を解決するための手段】
【０００８】
上記課題を解決するため請求項１記載の発明は、
雌ねじ部を有する固定ナットと、該固定ナットの先端側に嵌着されてコンクリートに嵌め殺しにされる筒状のコーンとで構成され、
前記固定ナットにおけるセパレータ螺合用雌ねじ部と軸足ボルト螺合用雌ねじ部との間を仕切る隔壁を設けたことを特徴とする手段とした。
【０００９】
また、請求項２記載の発明は、
請求項１に記載のセパレータ用プラグ装置において、
前記コーンをセラミック製としたことを特徴とする手段とした。
【発明の効果】
【００１０】
請求項１記載の発明では、上述のように、固定ナットにおけるセパレータ螺合用雌ねじ部と軸足ボルト螺合用雌ねじ部との間を仕切る隔壁を設けたことで、固定ナットの雌ねじ部を経由した漏水を防ぐことができるようになるという効果が得られる。
【００１１】
請求項２記載の発明では、上述のように、コーンをセラミック製としたことで、コーンに水が染みこむことがなくなり、これにより、コーン内を経由する漏水も防止でき、確実なコンクリート施工が行えるようになる。
【図面の簡単な説明】
【００１２】
【図１】実施例のセパレータ用プラグ装置を示す斜視図である。
【図２】実施例のセパレータ用プラグ装置を示す断面斜視図である。
【図３】実施例のセパレータ用プラグ装置を示す断面図である。
【図４】実施例のセパレータ用プラグ装置の使用状態を示す説明図である。
【発明を実施するための形態】
【００１３】
以下にこの発明の実施例を図面に基づいて説明する。
【実施例１】
【００１４】
まず、この実施例１のセパレータ用プラグ装置の構成を図面に基づいて説明する。
【００１５】
このセパレータ用プラグ装置は、図１〜４に示すように、固定ナット１と、筒状のコーン２と、軸足ボルト３と、セパレータ４と、を主な構成として備えている。
【００１６】
さらに詳述すると、前記固定ナット１は、コーン２をセパレータ４の両端部に連結させる役目をなすもので、金属で円筒状に形成され、その軸心孔の両端にセパレータ４の両端雄ねじ部４１を螺合連結するセパレータ螺合用雌ねじ部１１と、軸足ボルト３の基端側雄ねじ部３１を螺合連結する軸足ボルト螺合用雌ねじ部１２が独立して形成されている。
【００１７】
そして、この金属製固定ナット１には、セパレータ螺合用雌ねじ部１１と軸足ボルト螺合用雌ねじ部１２の間を仕切る隔壁１３が設けられている。
【００１８】
また、前記コーン２は、コンクリート５内に埋め殺しにされ、図３に示すように、コンクリート５のかぶりｋ部分を形成する役目をなすもので、セラミックスで軸心孔２１を有する円筒状に形成されていて、固定ナット１の先端側に嵌着され、その端面が係止フランジ部１４に当接係止された状態で位置決め固定されている。
【００１９】
前記軸足ボルト３は、図４に示すように、コーン２の先端面に当接係止されたコンクリート型枠板６を固定する役目をなすもので、コーン２の先端側からその軸心孔２１内に差し込んでその基端に形成された雄ねじ部３１を固定ナット１の軸足ボルト螺合用雌ねじ部１２に螺合して連結させるようになっている。
【００２０】
また、この軸足ボルト３の先端側には、ホームタイ７を螺合する雄ねじ部３２が形成され、この雄ねじ部３２の先端部には、該軸足ボルト３を回転操作可能な断面方形のスパナ掛け部３３が切欠形成されている。
【００２１】
次に、この実施例の作用・効果を説明する。
この実施例では上述のように構成されるため、図３に示すように、コンクリート型枠板６に形成された挿通孔６１に軸足ボルト３を挿通させ、その先端雄ねじ部３２にホームタイ７を螺合する。
次いで、打設したコンクリート５が固まった後、軸足ボルト３に対するホームタイ７の螺合状態を解除させることにより、コンクリート型枠板６を取り外す。
【００２２】
次いで、コンクリート型枠板６を取り外した後、固定ナット１の軸足ボルト螺合用雌ねじ部１２に螺合された軸足ボルト３を、その先端部に形成されたスパナ掛け部３３にスパナを掛けて螺合状態を解除させて引き抜く。
【００２３】
次いで、図示を省略したが、コーン２の軸心孔２１内を清掃した後、その中にゴム、樹脂等の弾性素材よりなる止水栓を圧入し、最後に棒等でコンクリート５の表面より数mm窪むまで押し込むことにより、止水作業を完了する。
【００２４】
この実施例１では、上述のように、固定ナット１におけるセパレータ螺合用雌ねじ部１１と軸足ボルト螺合用雌ねじ部１２との間を仕切る隔壁１３を設けたことで、固定ナット１の両雌ねじ部１１、１２を経由した漏水を防ぐことができるようになるという効果が得られる。
【００２５】
さらに、コーン２をセラミック製としたことで、コーン２に水が染みこむことがなくなり、これにより、コーン２内を経由する漏水も防止でき、確実なコンクリート施工が行えるようになる。
【００２６】
以上本実施例を説明してきたが、本発明は上述の実施例に限られるものではなく、本発明の要旨を逸脱しない範囲の設計変更等があっても、本発明に含まれる。
【００２７】
例えば、実施例では、コーン２をセラミック製としたが、コンクリートや、樹脂等で構成させてもよい。
【００２８】
１  固定ナット
１１  セパレータ螺合用雌ねじ部
１２  軸足ボルト螺合用雌ねじ部
１３  隔壁
１４  係止フランジ部
２  筒状のコーン
２１  軸心穴
３  軸足ボルト
３１  雄ねじ部
３２  雄ねじ部
３３  スパナ掛け部
４  セパレータ
４１  雄ねじ部
５  コンクリート
６  コンクリート型枠板
７  ホームタイ
ｋ  かぶり
【図１】
2012219433.tif 000003
【図２】
2012219433.tif 000004
【図３】
2012219433.tif 000005
【図４】
2012219433.tif 000006